(57)【要約】  医療施設において使用される展開式ベッドモジュール（２４）を提供する。複数のサービスコネクタ（２８）と、上げ収納位置と下げ使用位置との間を移動可能な台（５０）を有する展開式ベッド（３０）とを備え、前記サービスコネクタ（２８）群は、前記台（５０）が前記収納位置にある時、通常、該台（５０）の後ろに隠れる。
2008501421.tif 000002
【特許請求の範囲】
【請求項１】
医療施設において使用される展開式ベッドモジュールであって、
複数のサービスコネクタと、
上げ収納位置と下げ使用位置との間を移動可能な台を有する展開式ベッドと
を備える展開式ベッドモジュール。
【請求項２】
前記サービスコネクタ群は、電気コンセント、医療ガス出口、真空口、及び通信ポートのうち１つ以上を含む請求項１に記載の展開式ベッドモジュール。
【請求項３】
前記サービスコネクタ群は、前記台が前記収納位置にある時、該台の後ろに隠れる請求項１に記載の展開式ベッドモジュール。
【請求項４】
該展開式ベッドモジュールは、前記サービスコネクタの少なくとも幾つかを見えないよう隠す第１位置と、前記サービスコネクタへのアクセスを許す第２位置との間を移動可能なパネルを備える請求項１に記載の展開式ベッドモジュール。
【請求項５】
前記台は縦方向に沿って隔てられ、互いに対して傾斜可能な頭部、座部、及び足部を備え、該台は一平面ベッド構成から関節曲げ椅子構成へ移動可能である請求項１に記載の展開式ベッドモジュール。
【請求項６】
前記台の底面に結合され、上げ収納位置と下げ使用位置との間を移動可能なジャンプシートを備える請求項１に記載の展開式ベッドモジュール。
【請求項７】
前記台の底面は、前記ジャンプシートが前記収納位置にある時、該ジャンプシートを収容する座収容空洞を有する請求項６に記載の展開式ベッドモジュール。
【請求項８】
前記ジャンプシートの底面は、該ジャンプシートが前記座収容空洞に収容された時、前記台の底面とほぼ同一面上にある請求項７に記載の展開式ベッドモジュール。
【請求項９】
前記ジャンプシートの上面に結合されたクッションを更に備える請求項６に記載の展開式ベッドモジュール。
【請求項１０】
該展開式ベッドモジュールの底壁に結合された複数のキャスタを備える請求項１に記載の展開式ベッドモジュール。
【請求項１１】
該展開式ベッドモジュールの側壁に結合された複数のキャスタを備える請求項１に記載の展開式ベッドモジュール。
【請求項１２】
前記キャスタは装着部を介して前記側壁に結合され、該装着部は、該キャスタが内方に面する収納位置と、該キャスタが外方に面する使用位置との間を移動可能である請求項１１に記載の展開式ベッドモジュール。
【請求項１３】
前記側壁は、前記装着部が前記収納位置にある時、該装着部を収容する装着部収容空洞を備える請求項１２に記載の展開式ベッドモジュール。
【請求項１４】
前記装着部の外方に面する面は、該装着部が前記収納位置にある時、前記側壁の外方に面する面とほぼ同一面上にある請求項１３に記載の展開式ベッドモジュール。
【請求項１５】
該展開式ベッドモジュールの側壁に結合され、該展開式ベッドモジュールの高さ方向にほぼ沿って延びる１つ以上のガイドを備える請求項１に記載の展開式ベッドモジュール。
【請求項１６】
該展開式ベッドモジュールは医療施設のモジュール式壁の一部を形成し、該モジュール式壁は、垂直方向と横方向に互いに隔てられ所定の高さと所定の幅を有する複数の壁空間から成るグリッドを形成するよう構成された複数の枠ユニットを備え、該壁空間の１つに配置される請求項１に記載の展開式ベッドモジュール。
【請求項１７】
医療施設において使用される展開式ベッドモジュールであって、
上げ収納位置と下げ使用位置との間を移動可能な台を有する展開式ベッドと、
該台の底面に結合され、上げ収納位置と下げ使用位置との間を移動可能なジャンプシートとを備える展開式ベッドモジュール。
【請求項１８】
医療施設における会議室であって、
該会議室の壁に沿って配列された複数の展開式ベッドモジュールを備え、
該各展開式ベッドモジュールは、複数のサービスコネクタと、上げ収納位置と下げ使用位置との間を移動可能な台を有する展開式ベッドとを備える会議室。
【請求項１９】
医療施設におけるモジュール式壁であって、
垂直方向と横方向に互いに隔てられ所定の高さと所定の幅を有する複数の壁空間から成るグリッドを形成するよう構成された複数の枠ユニットと、
該壁空間の１つに配置され、該モジュール式壁の一部を形成する展開式ベッドモジュールとを備え、
該展開式ベッドモジュールは複数のサービスコネクタと、上げ収納位置と下げ使用位置との間を移動可能な台を有する展開式ベッドとを備えるモジュール式壁。
【請求項２０】
前記各枠ユニットは、所定の高さと所定の幅だけ互いに隔てられ、グリッドを形成する複数の接続点を有し、
前記展開式ベッドモジュールは該接続点のうち１つ以上に結合されている請求項１９に記載のモジュール式壁。
【請求項２１】
前記展開式ベッドモジュールは、前記所定の幅の１倍を含む倍数にほぼ等しい幅と、前記所定の高さの１倍を含む倍数にほぼ等しい高さとを有する請求項２０に記載のモジュール式壁。
【請求項２２】
前記ベッドの隣の前記壁空間の１つに配置された読書灯モジュールを備える請求項１９に記載の展開式ベッドモジュール。
【請求項２３】
前記ベッドの隣の前記壁空間の１つに配置されたモニターモジュールを備える請求項１９に記載の展開式ベッドモジュール。
【請求項２４】
前記ベッドの隣の前記壁空間の１つに配置された頭上テーブルモジュールを備える請求項１９に記載の展開式ベッドモジュール。
【請求項２５】
前記ベッドの隣の前記壁空間の１つに配置された収納モジュールを備える請求項１９に記載の展開式ベッドモジュール。
【請求項２６】
前記ベッドの隣の前記壁空間の１つに配置されたコンピュータモジュールを備える請求項１９に記載の展開式ベッドモジュール。
【発明の詳細な説明】
【技術分野】
【０００１】
本発明は、医療施設において使用される展開式ベッドモジュール、特に複数のサービスコネクタを有する展開式ベッドモジュールと展開する展開式ベッドとに関する。
【背景技術】
【０００２】
病室内の空間は、常に貴重である。訪問者または家族を泊めるために必要な時には、病室に追加のベッドを入れる場合がある。また、緊急時の間、第２の患者ベッドを病室に入れる場合がある。しかし、病室内の余分な備品は、患者、介護者、及び訪問者にとって障害となる。余分の備品は通常、必要でない時にはスペースを空けるために病室から取除かれる。
【０００３】
《関連する出願への相互参照》
本出願は、２００４年０６月０３日付で出願した米国仮特許出願第６０／５７６，８６７号及び第６０／５７６，８６８号と、２００４年１２月０６日付で出願した米国仮特許出願第６０／６３３，４７６号との利益を主張する同一の譲渡人に譲渡する通常の特許出願である。これら全ての出願を本明細書に援用する。
【発明の開示】
【課題を解決するための手段】
【０００４】
本発明は、単独でまたは組合せで特許性のある事項を構成する下記の複数の特徴のうち１つ以上又はそれらの組合せを有する装置を含む。
【０００５】
医療施設において使用される展開式ベッドモジュールは、患者看護と関連するサービスを提供するための複数のサービスコネクタと、上げ収納位置と下げ使用位置との間を移動可能な台を有する収納式又は展開式ベッドとを備える。
【０００６】
前記サービスコネクタ群は、電気コンセント、医療ガス出口、真空口、及び通信ポート（映像、音声、データ等）を含む。前記台は該サービスコネクタ群を見えないように覆い、患者又は訪問者に不安を抱かせないように落着いた、家庭的な外観を提供する。該ベッドを訪問者ベッド又は椅子として使用する時、パネルによりサービスコネクタを隠してもよい。該パネルは回転して開き、展開式ベッドモジュールの側壁に近い狭いトラックに沿って収納位置までスライドしてもよい。
【０００７】
展開式ベッドはマットレス支持枠を備えてもよい。マットレス支持枠は縦方向に沿って隔てられ、互いに対して傾斜可能な頭部、座部、及び足部を備えてもよい。マットレス支持枠はベッド構成に加えて病室で追加の椅子を提供するために椅子構成にすることができてもよい。サイドレールを該台の両側に設けてもよい。
【０００８】
台の収納位置と使用位置の間の移動を助けるために、ガスばね又は他の手段を設けてもよい。幾つかの実施形態では、台を収納位置と使用位置の間を移動させるために、該ベッドは、液圧アクチュエータ、電気モータ等を備えてもよい。
【０００９】
収納位置にある展開式ベッドを覆うためにパネル又は飾り面を設けてもよい。このような飾り面は該展開式ベッドの底面であってもよく、また落着いた外観を作る絵を備えていてもよい。幾つかの実施形態では、閉じた位置にある展開式ベッドを覆うためにドア又はパネルを設けてもよい。このようなドア又はパネルは、回転して開き、展開式ベッドモジュールの側壁に近い狭いトラックに沿って収納位置までスライドするよう構成されていてもよい。
【００１０】
医療施設における大きな会議室は、該会議室の壁に沿って配列された複数の該展開式ベッドモジュールを備えてもよい、これにより緊急時に多数の患者ベッドを有する病棟に迅速に変更できる。閉じると、展開式ベッドはほぼ分からなくなる。
【００１１】
該展開式ベッドモジュールは、例えば国際特許出願Ｎｏ．PCT／US２００５／xxxxxx（attorney docket no. 7175-78000）に開示されたモジュール式壁に組込まれてもよい。この出願を本明細書に援用する。このようなモジュール式壁では、該展開式ベッドモジュールは複数のモジュールの１つとして構成されている。
【００１２】
上記以外の特徴が、単独でまたは上記の特徴と組合せで特許性のある事項を構成する可能性があり、発明を実施するための現時点での最良の形態である以下の実施形態の詳細な説明から、当業者に明らかとなるであろう。
【発明を実施するための最良の形態】
【００１３】
図１に示すように、モジュール式壁２０は、展開式ベッドモジュール２４を含む複数のモジュール２２を備える。展開式ベッドモジュール２４はハウジング又はシェル２６と、複数のサービスコネクタ２８と、収納式又は展開式ベッド３０とを備える。展開式ベッド３０は、シェル２６に図１に示した下げ使用位置と図２に示した上げ収納位置の間を回動するために結合された台５０を備える。該使用位置では、台５０は展開式ベッドモジュール２４から概ね水平に延び、該収納位置では、台５０はシェル２６の台収容空間または空洞５４内に収容される。周知の収納式又はマーフィベッドの動きと類似の仕方で、台５０は該下げ使用位置と該上げ収納位置の間を移動可能である。本実施形態では、壁２０は、国際特許出願Ｎｏ．PCT／US２００５／xxxxxx（attorney docket no. 7175-78000）に開示されたタイプである。
【００１４】
上述のように、病室３２内の余分な備品は、患者、介護者、及び訪問者にとって障害となる。しかし、展開式ベッド３０は、図２に示す該上げ収納位置に移動させ、病室３２内で床スペースを空けることができる。ホテルまたは居間の雰囲気に似た雰囲気を提供するために台５０の底面７６を絵８６（図２）で飾ってもよい。これにより、患者、家族、及び訪問者が病院環境に対して持つ威圧的なイメージを和らげる。幾つかの実施形態では、展開式ベッドモジュール２４は、展開式ベッド３０を閉じる一対のドアまたはパネル（不図示）を備えてもよい。各ドアは開くと、シェル２６の側壁５８、６０に近接した狭いトラックに沿って収納位置までスライドする。幾つかの実施形態では、上開きガレージドアタイプ回転ドアまたはパネル（不図示）を、展開式ベッド３０を閉じるために設けてもよい。
【００１５】
シェル２６は、後部壁５６と、側壁５８、６０、上部壁６２と、底壁６４とを備える。台収容空間５４は側壁５８、６０、上部壁６２、及び底壁６４によって画成される。壁５８、６０、６２、６４の前面側の縁は、前方に向いた面６６を画定する。ベッド３０を閉じた時、台５０の底面７６は、シェル２６の前方に向いた面６６と概ね同一面上にあり、それの連続した部分のように見える（図２）。
【００１６】
台５０は、頭端７０と、足端７２と、上面７４と、底面７６とを備える。空気マットレス等のマットレス７８は、台５０の上面７４に置かれている。複数のストラップ（不図示）がマットレス７８を台５０に固定し、台５０を持上げた時に適正な位置に保持する。本実施形態ではマットレス７８を台５０に固定するためにストラップ（不図示）を使用しているが、他の適切な留め具を使用しても勿論よい。このような留め具の例は、ヴェルクロ（Velcro、登録商標）帯、ループ・タイ留め具、フック・アイ留め具、クリップ、スナップ、ジッパー等である。シェル２６の下部１０６は、圧縮機、モータ、コントローラ、配管、弁等の空気マットレス７８を膨らませるための設備１０８を収容する。
【００１７】
台５０の頭端７０に近い複数のヒンジ（不図示）は、台５０がシェル２６に対して横方向に延びる第１の軸８０の周りを該上げ収納位置と該下げ使用位置の間を回動するように台５０をシェル２６に結合する。台５０を持上げた時、固定具またはラッチ（不図示）が台５０を台収容空間５４内に保持する。該下げ使用位置では、台５０はシェル２６から外方へ延び、台５０の頭端７０は展開式ベッドモジュール２４の後部壁５６の近くに位置する。台５０は、該下げ使用位置にある時、介護者が患者の頭部へアクセスできるように外方へ引き出された構成となる。
【００１８】
一対の脚８２は足端７２の近くで台５０に回動可能に結合され、脚８２が台５０の底面７６にある脚収容空洞（不図示）に収容される上げ収納位置と、脚８２が底面７６にほぼ垂直に延び病室３２の床６８上に立ち、台５０の足端７２を支える下げ使用位置との間を回動する。図示のように、足端７２に近いヒンジ（不図示）は、脚８２が台５０に対して横方向に延びる第２の軸８４の周りを回動するように脚８２を台５０に結合する。幾つかの実施形態では、台５０の高さは、下げ使用位置においては、調整可能である。この場合、台５０の頭端７０を回動可能に支える取付け金具（不図示）と、台５０の足端７２を支える脚８２とは垂直方向に調整可能である。
【００１９】
脚８２が台５０の脚収容空洞に収容された時は、脚８２の下向き面は台５０の底面７６と概ね同一平面上にあり、それの連続した部分のように見える。固定具またはラッチ（不図示）は脚８２を脚収容空洞内に保持する。脚８２が床６８上に立ち、台５０の足端７２を支える該使用位置に、ラッチ（不図示）は脚８２をロックする。
【００２０】
図３に示すように、本実施形態では台５０は関節付きマットレス支持枠９０を備える。マットレス支持枠９０は縦方向に隔てられ、互いに対して傾斜可能な頭部９２、座部９４、及び足部９６を備える。関節付きマットレス支持枠９０は、図１の一平面ベッド構成から図３の関節曲げ椅子構成へ移動可能に構成されている。該椅子構成においては、ベッド３０は訪問者又は患者に追加の椅子を提供する。台５０の両側に一対のサイドレール９８を備える。該椅子構成において、サイドレール９８はアームレストとして働く。頭部９２と足部９６を座部９４に対して関節曲げ伸ばしを可能にするために様々な機構を使用してもよい。ベッドを椅子に変えるこのような機構は、従来技術において広く知られている。米国特許第６、１６３、９０３号は、椅子に変換可能なベッドを開示する。この特許を本明細書に援用する。
【００２１】
台５０の収納位置と使用位置の間の移動を助けるために、ガスばね又は他の手段（不図示）を設けてもよい。台５０を収納位置と使用位置の間を移動させる時に介護者を助けるために、台５０はばね、カウンターバランス機構、液圧アクチュエータ、ガスばね等によって支えられてよい。幾つかの実施形態では、電気モータ等のアクチュエータ（不図示）を、台５０を収納位置と使用位置の間を移動させるために設けてもよい。
【００２２】
各サイドレール９８は、右サイドレール９８について図１、図３に示すように、台５０の下にある収納位置と、台５０の側部の使用位置の間を移動可能である。足板１００は足端７２の近くで台５０に結合されてよい。頭上灯１０２はシェル２６の後部壁５６に配置されている。頭上灯１０２を操作するためのスイッチ（不図示）は、シェル２６の側壁５８、６０の１つに配置されている。幾つかの実施形態では、頭上灯１０２は台５０を使用位置に下した時に自動的にオンされる。
【００２３】
１つ以上のサービスを台５０に支えられた患者に提供するために、サービスコネクタ２８は台５０の頭端７０の近くでシェル２６の後部壁５６に装着される。幾つかのサービスコネクタ２８は電力を供給する電気コンセント１１２である。別の幾つかのサービスコネクタ２８は、医療ガス、例えば酸素、窒素、及び空気のうち１つ以上を供給する医療ガス出口１１４である。別の幾つかのサービスコネクタ２８は、真空を供給する負圧口１１６である。別の幾つかのサービスコネクタ２８は、データ、例えば音声データ、映像データ、及び情報データのうち１つ以上を送信するデータ通信ポート１１８である。複数のサービス線及びサービス管が病室から離れた装置から関連するサービスコネクタ２８に配線される。サービス線は、病室３２の天井、床または壁のうち１つ以上を通って配線されてもよい。
【００２４】
サービスコネクタ２８は、台５０が図２のように該上げ収納位置にある時、通常、台５０の後に隠れる。図３に示すように、展開式ベッド３０が訪問者ベッド又は椅子として使用される時、パネル１２０がサービスコネクタ２８を隠すために設けられる。サービスコネクタ２８が必要な時は、パネル１２０は回転して開き、展開式ベッドモジュール２４の側壁５８、６０に近接した狭いトラックに沿って収納位置までスライドするよう構成されている。或いは、展開式ベッド３０を訪問者ベッド又は椅子として使用する時、プルダウン画面（不図示）又は上開きガレージドアタイプ回転ドア／パネル（不図示）を、サービスコネクタ２８を隠すために使用してもよい。このような画面は上部壁６２の下面に装着されてもよい。
【００２５】
図１に示すように、後部壁５６は、液体びん（不図示）、アクセサリバスケット（不図示）等を支えるためのレール又はスライド１２２を備える。レール１２２は該びん、バスケット等がレール１２２に沿って再配置されるのを許す。後部壁５６は、ベッド３０の頭端７０の近くに電話、ナース呼出ボタン、コードボタン等の通信装置（不図示）を備えてもよい。
【００２６】
図示のように、シェル２６は、幅約４フィート（約１．２メートル）、高さ約８フィート（約２．４メートル）、奥行き約１フィート（約０．３０メートル）である。下部１０６は幅約４フィート（約１．２メートル）、高さ約２フィート（約０．６０メートル）、奥行き約１フィート（約０．３０メートル）である。脚８２は高さ約２フィート（約０．６０メートル）、台５０は長さ約６．５フィート（約１．９５メートル）である。台５０が水平位置に下された時、台５０の頭端７０はシェル２６の中に約１フィート（約０．３０メートル）入り、台５０のその他の部分は、シェル２６の外に約５．５フィート（約１．６５メートル）延びる。
【００２７】
図１に示すように、本実施形態では、展開式ベッドモジュール２４に加えて、壁２０を構成するモジュール２２群は、読書灯モジュール１３０と、モニターモジュール１３２と、折り畳み頭上テーブルモジュール１３４と、引き出しモジュール１３６とを含む。モジュール１３０、１３２、１３４、１３６は、図１のように、ベッド３０の隣に垂直に重ねられている。読書灯モジュール１３０は、関節付きアーム体１４２に支持された読書灯１４０を備える。モニター・娯楽モジュール１３２は関節付きアーム体１４６に支持されたモニター１４４を備える。頭上テーブルモジュール１３４は関節付きアーム体１５０に支持された頭上テーブル１４８を備える。関節付きアーム体１４２、１４６、１５０はそれぞれ、収納位置と使用位置の間の移動のために関連する読書灯１４０、モニター１４４、及び頭上テーブル１４８を支持するよう構成されている。
【００２８】
関節付きアーム体１４２は、壁部材１６２から外側へ回動可能な第１径方向アーム１６０と、第１径方向アーム１６０によって支えられ回動可能な第２径方向アーム１６４とを備える。読書灯１４０は第２径方向アーム１６４上に支持されている。関節付きアーム体１４６は、壁部材１７２から外側へ回動可能な第１径方向アーム１７０と、第１径方向アーム１７０によって支えられ回動可能な第２径方向アーム１７４と、第２径方向アーム１７４によって支えられ回動可能な第３径方向アーム１７６とを備える。モニター１４４は第３径方向アーム１７６上に支持されている。関節付きアーム体１５０は、壁部材１８２から外側へ回動可能な外側入れ子アーム１８０と、外側入れ子アーム１８０にスライド式に収容され外側入れ子アーム１８０の縦中心線に沿って動く内側入れ子アーム１８４と、内側入れ子アーム１８４によって支えられ回動可能な径方向アーム１８６とを備える。頭上テーブル１４８は径方向アーム１８６上に支持されている。
【００２９】
モジュール式壁２０の外観は、ホテルまたは居間の家具の外観と似ているが、モジュール式壁２０は患者看護に必要な様々なサービスを提供するよう構成されている。モジュール式壁２０の外面は木で作られているか、又は擬似の木調仕上げが施されている。モジュール式壁２０は複雑な縁飾りで飾られてもよい。従って、モジュール式壁２０が病室内に設置された時、病室の見た目は、患者及び付き添う家族にとってリラックスさせる、友好的で、居心地のよいものとなる。
【００３０】
図４は展開式ベッド３０を含む展開式ベッドモジュール２４を備えた病室３２を示す。また、病室３２は従来の患者ベッド４２、トイレ室４４、カウンタ４６、及び流し４８を備える。展開式ベッド３０は、緊急時、病室３２内の第２の患者に追加のベッドを提供する。該追加のベッドは家族又は訪問者によっても使用可能である。病室３２において椅子を提供するために展開式ベッド３０は椅子構成（図３）にすることができる。展開式ベッド３０は、必要でないとき病室３２の床スペースを空けるために閉じることができる。図５は医療施設の大きな会議室１９０を示す。会議室１９０は大きな会議テーブル１９２と壁１９４に沿って並んだ展開式ベッド３０を備える複数の展開式ベッドモジュール２４とを有し、会議室１９０を緊急時に多数の患者ベッドを有する病棟に迅速に変更できる。閉じると、展開式ベッド３０は邪魔にならない。
【００３１】
本実施形態では、展開式ベッドモジュール２４、読書灯モジュール１３０、モニターモジュール１３２、頭上テーブルモジュール１３４、及び引き出しモジュール１３６は、病院又は医療施設においてモジュール式壁２０を構成する。図示のように、壁２０は、国際特許出願Ｎｏ．PCT／US２００５／xxxxxx（attorney docket no. 7175-78000）に開示されたタイプである。図６に示すように、壁２０は、複数の基礎構造部品２０２を備える。基礎構造部品２０２は複数の枠ユニット２０４と、複数の支持部材２０６とを含む。本実施形態では、支持部材２０６は枠ユニット２０４に取外し可能に結合されるよう構成されたハンガーである。
【００３２】
各枠ユニット２０４は一対の垂直部材２０８と、枠ユニット２０４の上部と底部の近くにおいて垂直部材２０８間を延びる一対の水平部材２１０とを備え、垂直部材２０８と水平部材２１０は、枠ユニット２０４の前面と後面の間に亘る開いた空間または空洞２１４を中央に有する概ね矩形の構造体を形成する。枠ユニット２０４の複数の垂直部材２０８の中心間の間隔は約２フィート（約０．６０メートル）である。複数の水平部材２１０の中心間の間隔は約８フィート（２．４０メートル）である。スルー型モジュール２４が存在する基礎構造部品２０２の位置では、床４６の近くの水平部材２１０は除かれる。図示のように、垂直部材２０８と水平部材２１０とは概ね矩形の断面を有する管状部材から作られている。
【００３３】
図示のように、各枠ユニット２０４の垂直部材２０８は、枠ユニット２０４の前方に面した第１の数の接続点２１２と、枠ユニット２０４の後方に面した第２の数の接続点２１２とを有する。本実施形態では、第１の数の接続点２１２は、枠ユニット２０４の前方に面しその奥行きに沿って延びる第１の数のハンガー受容穴２１２であり、第２の数の接続点２１２は、枠ユニット２０４の後方に面しその奥行きに沿って延びる第２の数のハンガー受容穴２１２である。ハンガー受容穴２１２はハンガー２０６を受容する寸法及び形を有す。挿入された時、ハンガー２０６は枠ユニット２０４のハンガー受容穴２１２に嵌合し、固く適正にロックされる。図示のように、ハンガー２０６とハンガー受容穴２１２とは横断面が概ね矩形である。ハンガー２０６は、枠ユニット２０４からカンチレバー状に概ね水平に延びる。ハンガー２０６の長さは、ハンガー２０６によって支持されるモジュール２２の奥行きに概ね一致する。
【００３４】
各枠ユニット２０４の幅又はＸ軸に沿った、垂直部材２０８のハンガー受容穴２１２同士の中心間の横方向間隔は固定である。図示のように、ハンガー受容穴２１２の中心間横方向間隔は約２フィート（約０．６０メートル）である。各枠ユニット２０４の高さ又はＺ軸に沿った、垂直部材２０８のハンガー受容穴２１２同士の中心間の垂直方向間隔も固定である。図示のように、高さに沿ったハンガー受容穴２１２の中心間間隔は約２フィート（約０．６０メートル）である。従って、本実施形態では、ハンガー受容穴２１２群は２フィート×２フィート（約０．６０メートル×約０．６０メートル）のグリッドを形成する。
【００３５】
モジュール２２群は、ハンガー受容穴２１２の該所定の横方向間隔（本実施形態では２フィート又は約０．６０メートル）の１倍を含む倍数にほぼ等しい幅を有する。また、モジュール２２群は、ハンガー受容穴２１２の該所定の垂直方向間隔（本実施形態では２フィート又は約０．６０メートル）の１倍を含む倍数にほぼ等しい高さを有する。第１の数のモジュール２２が、枠ユニット２０４の前側のハンガー２０６によって支持されてよい。第２の数のモジュール２２が、枠ユニット２０４の後側のハンガー２０６によって支持されてよい。各モジュール２２はモジュール２２の上端と下端の近くに対向して配置された一対のガイドトラック（不図示）を有する。該ガイドトラックは、枠ユニット２０４に取付けられたハンガー２０６をスライド方式で受容する。ラッチ（不図示）によりモジュール２２をハンガー２０６に取付けてもよい。
【００３６】
各枠ユニット２０４の下部水平部材２１０は、医療施設の床２２２に該枠ユニット２０４を取付けるための一対の垂直に延びる貫通孔２２０を有する。同様に、各枠ユニット２０４の上部水平部材２１０は、医療施設の床２２２から天井２２４に延びる該枠ユニット２０４を天井２２４に取付けるための一対の垂直に延びる貫通孔２２０を有する。スタッド、ピン、ねじ、又はナットとボルト等の任意の適当な留め具２２６を、枠ユニット２０４を床２２２と天井２２４とに取付けるために使用してもよい。図８において、モジュール２２を例えば、モップ、床清掃器具等から保護できるように、枠ユニット２０４は、床２２２の代わりにベース板２２８に取付けられ、ベース板２２８は床２２２に取付けられる。スルー型モジュールが存在する基礎構造部品２０２の位置では、床２２２の近くの下方水平枠部材２１０とベース板２２８は除かれる。
【００３７】
本実施形態では、各枠ユニット２０４は両側の隣接する枠ユニット２０４に結合される。また、医療施設の既存の通常の壁に最も近い枠ユニット２０４はその壁に取付けられる。このために、各枠ユニット２０４の垂直部材２０８は複数の横方向に延びる貫通孔２３２を有する。スタッド、ピン、ねじ、又はナットとボルト等の任意の適当な留め具２３４を、各枠ユニット２０４を両側の隣接する枠ユニット２０４及び隣接する既存の通常の壁に取付けるために使用してもよい。
【００３８】
ユーティリティ管２４２が医療施設の機械室から病室３２に配管されてもよい。ユーティリティ管２４２は通常、病室３８の床２２２、天井２２４又は壁２０を通って配管されてよい。水平部材２１０は垂直に延びる貫通スロット又は孔２４０を有し、これを通ってユーティリティ管２４２が枠部材２０８、２１０によって画成された開いた空間または空洞２１４に入る。次に、ユーティリティ管２４２は開いた空間２１４から関連するモジュール２２に配管される。例として、ユーティリティ管２４２はデータ線、ガス管、真空管、ＡＣ／ＤＣ電力線、温水管、冷水管、及び配管を含む。
【００３９】
また、ユーティリティ管２４２を枠ユニット２０４の開いた空間２１４から両側の隣接する枠ユニット２０４の開いた空間２１４へ配管するために、横方向に延びる貫通孔（不図示）を枠ユニット２０４の垂直部材２０８に形成してもよい。次に、ユーティリティ管２４２は該隣接する枠ユニット２０４の開いた空間２１４から関連するモジュール２２に配管される。枠ユニット２０４の開いた空間２１４に、音及び／又は熱に対する絶縁材を充填してもよい。従って、モジュール式壁２０は、垂直方向と横方向に互いに隔てられ所定の高さと幅を有する複数の壁空間から成るグリッドを形成するよう構成された複数の枠ユニット２０４を備え、モジュール２４、１３０、１３２、１３４、１３６等の複数のモジュール２２は、関連する前記壁空間内に配置される。
【００４０】
図７、図８は展開式ベッドモジュール２４の第２の実施形態を示す。両方の実施形態において類似の要素には、概ね類似の符号を付してある。その結果、第２の実施形態では、符号３２４は該展開式ベッドモジュールを表し、符号３３０は該展開式ベッドを、符号３５０は該台を、符号３７６は該台の底面を、符号３８６は該絵を表す。ジャンプシート３００は台３５０の底面３７６に結合されている。展開式ベッド３３０が図７、図８に示すように閉じている時、ジャンプシート３００は、患者、介護者、又は訪問者に一時的な座面を提供する。これにより、病室３２において床スペースを空けるために運び出す必要がある別個の椅子の必要性がなくなる。
【００４１】
ジャンプシート３００は、図７の上げ閉位置と図８の下げ開位置の間を動くようにヒンジ３０４によって台３５０の底面３７６に結合された座部３０２を備える。本明細書においては、座部３０２の閉位置及び開位置は、収納位置及び使用位置とそれぞれ呼ばれる。台３５０の底面３７６は、シート３００が閉じられた時、座部３０２を収容する座収容空洞３０６を備える。シート３００が閉じられた時、座部３０２の底面３０８は、台３５０の底面３７６と概ね同一面上にあり、それの連続した部分のように見える。クッション３１０は、ストラップ、ヴェルクロ（Velcro、登録商標）帯等の留め具によって座部３０２の上面３１２に結合され、座部３０２を持上げた時に適正な位置にクッション３１０を保持する。シート３００が閉じられた時、一対の固定具３１４が座部３０２を座収容空洞３０６内に保持する。ハンドル３１６は座部３０２の底面３０８に結合され、ジャンプシート３００の開閉を容易にする。
【００４２】
図９〜図１１は展開式ベッドモジュール２４の第３の実施形態の概略図である。様々な実施形態において類似の要素には、概ね類似の符号を付してある。その結果、第３の実施形態では、符号４２４は該展開式ベッドモジュールを表し、符号４２６は該シェルを、符号４５６、４５８、４６０、４６２、及び４６４はそれぞれ、シェル４２６の該後部壁、左側壁、右側壁、上部壁、及び底壁を表す。展開式ベッドモジュール４２４は展開式ベッドを備える。しかし、該展開式ベッドは見易さのために図９〜図１１には示されていない。
【００４３】
４つのキャスタ４００がシェル４２６の底壁４６４に４つのコーナの近くで結合されている。展開式ベッドモジュール４２４を例えば図１０のように立てた姿勢で移動させる時に、キャスタ４００は展開式ベッドモジュール４２４の床４０２に沿った移動を容易にする。各キャスタ４００は、シェル４２６の底壁４６４から突出し床４０２と係合する部分を有する車輪４０４を備える。本実施形態では、各キャスタ４００の大部分はシェル４２６の中に位置するため、見えない。幾つかの実施形態では、キャスタ４００はボールキャスタである。キャスタ４００は立てた姿勢の展開式ベッドモジュール４２４の全方向への移動を可能にする。
【００４４】
４つのキャスタ４０６がシェル４２６の右側壁４６０に、例えば図１０に示すように結合されている。２つのキャスタ４０６は、シェル４２６の上端４０８の近くで右側壁４６０に結合され、他の２つのキャスタ４０６は、シェル４２６の下端４１０の近くで右側壁４６０に結合されている。展開式ベッドモジュール４２４を右側壁４６０が床４０２に面する状態で移動させる時に、キャスタ４０６は展開式ベッドモジュール４２４の床４０２に沿った移動を容易にする。各キャスタ４０６は、シェル４２６の右側壁４６０から突出する部分を有する車輪４１２を備える。各キャスタ４０６の大部分はシェル４２６の中に位置するため、見えない。幾つかの実施形態では、キャスタ４０６はボールキャスタである。キャスタ４０６は展開式ベッドモジュール４２４の側面を下にした時に、展開式ベッドモジュール４２４の全方向への移動を可能にする。図ではキャスタ４０６が右側壁４６０に取付けられているが、例えば図１２に示すようにシェル４２６の左側壁４５８又は後部壁４５６に結合されてもよい。
【００４５】
２つの板またはガイド４１４は、シェル４２６の右側壁４６０に結合されている。ガイド４７４は、シェル４２６の両端４０８、４１０のキャスタ４０６間をシェル４２６の高さ方向にほぼ平行に延びる。ガイド４１４間の横方向間隔は、キャスタ４０６間の横方向間隔とほぼ同じである。展開式ベッドモジュール４２４を右側壁４６０が図１０のように階段４１６に面する状態で階段４１６上を移動させる時に、ガイド４１４は展開式ベッドモジュール４２４の移動を容易にする。床４０２に沿った又は階段４１６の上下への展開式ベッドモジュール４２４の移動を助けるために、ハンドル４１８が上部と下部コーナ縁４２０の近くでシェル４２６に結合されている。
【００４６】
図１２は展開式ベッドモジュール２４の第４の実施形態の概略図である。様々な実施形態において類似の要素には、概ね類似の符号を付してある。その結果、第４の実施形態では、符号５２４は該展開式ベッドモジュールを表し、符号５２６は該シェルを、符号５５６、５５８、５６０、５６２、及び５６４はそれぞれ、シェル５２６の該後部壁、左側壁、右側壁、上部壁、及び底壁を表す。展開式ベッドモジュール５２４は展開式ベッドを備える。しかし、該展開式ベッドは見易さのために図１２には示されていない。第４の実施形態５２４は第３の実施形態４２４に概ね類似している。
【００４７】
４つのキャスタ５００がシェル５２６の底壁５６４に４つのコーナの近くで結合されている。展開式ベッドモジュール５２４を立てた姿勢で移動させる時に、キャスタ５００は展開式ベッドモジュール５２４の床５０２に沿った移動を容易にする。各キャスタ５００は、シェル５２６の底壁５６４から突出し床５０２と係合する部分を有する車輪５０４を備える。各キャスタ５００の大部分はシェル５２６の中に位置するため、見えない。幾つかの実施形態では、キャスタ５００はボールキャスタである。キャスタ５００は立てた姿勢の展開式ベッドモジュール４２４の全方向への移動を可能にする。
【００４８】
４つのキャスタ５０６がシェル５２６の左側壁５５８に結合されている。２つのキャスタ５０６は、シェル５２６の上端５０８の近くで上部装着部５７０を介して左側壁５５８に結合され、他の２つのキャスタ５０６は、シェル５２６の下端５１０の近くで左側壁５５８に下部装着部５７０を介して結合されている。上部と下部装着部５７０は概ね互いに対称である。収納位置（不図示）と図１２の使用位置の間を移動できるように、各装着部５７０は左側壁５５８にヒンジ（不図示）により結合された装着板５７２を有する。幾つかの実施形態では、キャスタ５０６はボールキャスタである。キャスタ５０６は展開式ベッドモジュール５２４の側面を下にした時に、展開式ベッドモジュール５２４の全方向への移動を可能にする。
【００４９】
左側壁５５８は、装着板５７２が収納位置にある時、装着板５７２を収容する板収容空洞５７６を備える。装着板５７２が収納位置にある時、装着板５７２の底面は、左側壁５５８と概ね同一面上にあり、それの連続した部分のように見える。装着板５７２が収納位置にある時、固定具（不図示）が装着板５７２を板収容空洞５７６内に保持する。装着板５７２はラッチ（不図示）により該使用位置においてロックされる。
【００５０】
展開式ベッドモジュール５２４を左側壁５６０が床５０２に面する状態で移動させる時に、キャスタ５０６は展開式ベッドモジュール５２４の床５０２に沿った移動を容易にする。図ではキャスタ５０６が左側壁５５８に取付けられているが、図９〜図１１に示すようにシェル５２６の右側壁５６０又は後部壁５５６に結合されてもよい。床５０２に沿った又は階段の上下への展開式ベッドモジュール５２４の移動を助けるために、ハンドル５１８が上部と下部コーナ縁５１８の近くでシェル５２６に結合されている。展開式ベッドモジュール４２４とは異なり、展開式ベッドモジュール５２４はガイドを有していない。しかし、展開式ベッドモジュール５２４をガイドを有するように変更してもよい。
【００５１】
本発明は様々な変更と別の形態が可能であるが、本明細書において特定の幾つかの実施形態を例として図に示し、詳細に説明した。しかし、本発明を開示した特定の形態に限定することを意図したものでなく、本発明は、添付の請求項により定義された本発明の精神と範囲内に入る全ての改良物、等価物、及び別の形態を含むことは理解されるべきである。
【００５２】
本明細書において説明した実施形態の様々な特徴から生じる本発明の複数の利点が存在する。説明した特徴の一部だけを含む本発明の他の実施形態は、前記複数の利点のうち少なくとも幾つかの利点を有する。当業者は、本発明の特徴のうち１つ以上を備え、添付の請求項により定義された本発明の精神と範囲内に入る実施形態を容易に思いつく可能性がある。
【図面の簡単な説明】
【００５３】
【図１】展開式ベッドモジュールを含む複数のモジュールを有するモジュール式壁の斜視図であり、展開式ベッドが下げ使用位置にあり、複数のサービスコネクタへのアクセスを提供する開いた状態の展開式ベッドモジュールを示す。
【図２】閉じた状態の展開式ベッドモジュールを示す斜視図である。
【図３】展開式ベッドが椅子構成にある開いた状態の展開式ベッドモジュールを示す斜視図である。
【図４】従来の病院ベッドと破線で示した展開式ベッドとを示す病室の上面図である。
【図５】複数の展開式ベッドを備える病棟に迅速に変更できるよう構成された、医療施設の会議室の上面図である。
【図６】複数の枠ユニットと、該枠ユニットのハンガー受容穴に受容された複数のハンガーと、該ハンガーによって取外し可能に支持された様々なモジュールとを示す図１のモジュール式壁の斜視図である。
【図７】該台の底面に結合されたジャンプシートを示す閉じた状態の展開式ベッドモジュールの第２の実施形態の斜視図である。
【図８】開いた状態のジャンプシートを示す閉じた状態の図７の展開式ベッドモジュールの斜視図である。
【図９】展開式ベッドモジュールの底壁に結合された４つのキャスタと、側壁に結合された２つのガイドを示す、閉じた状態の展開式ベッドモジュールの第３の実施形態の概略斜視図である。
【図１０】閉じた状態の図９の展開式ベッドモジュールの概略側立面図である。
【図１１】展開式ベッドモジュールが２つのガイドを下にして階段を滑り上がっていることを示す閉じた状態の図９の展開式ベッドモジュールの概略斜視図である。
【図１２】展開式ベッドモジュールの底壁に結合された４つのキャスタと、側壁に結合された４つの収納式キャスタを示す閉じた状態の展開式ベッドモジュールの第４の実施形態の概略斜視図である。
【符号の説明】
【００５４】
２０  モジュール式壁
２４  展開式ベッドモジュール
２８  サービスコネクタ
３０  展開式ベッド
５０  台
【図１】
2008501421.tif 000003
【図２】
2008501421.tif 000004
【図３】
2008501421.tif 000005
【図４】
2008501421.tif 000006
【図５】
2008501421.tif 000007
【図６】
2008501421.tif 000008
【図７】
2008501421.tif 000009
【図８】
2008501421.tif 000010
【図９】
2008501421.tif 000011
【図１０】
2008501421.tif 000012
【図１１】
2008501421.tif 000013
【図１２】
2008501421.tif 000014
【国際調査報告】
2008501421.tif 000015
2008501421.tif 000016
2008501421.tif 000017